(57)【要約】      （修正有）【課題】潜水深度が変わっても浮力変動が無く、浮力の調整が容易で、軽量で特別な潜水技術を必要としないスキューバダイビング用浮力調整装置を提供する。【解決手段】スキューバダイビングに使用する浮力調整装置において、ダイバー自身の操作によって実効容積が変更可能な手段を持つ少なくともひとつ以上の浮力体２と、その浮力体２へ周囲圧に応じて自動的に空気ボンベ１から空気を供給する給気装置５と、浮力体２の内部圧力が上昇した時に余剰空気を排出する一方向弁の自動排気バルブと、浮力体２の容積を可変する可変機構と、スキューバダイビング用空気タンクを固定する固定手段と、ダイバーが背負う事が出来るバンド部材６とを備えている。【選択図】図１
2012056556.tif 000002
【特許請求の範囲】
【請求項１】
ダイバー自身の操作によって実効容積が変更可能な手段を持つ少なくともひとつ以上の浮力体と、その浮力体へ周囲圧に応じて自動的に空気ボンベから空気を供給する給気装置と、浮力体の内部圧力が上昇した時に余剰空気を排出する一方向弁の自動排気バルブと、浮力体の容積を可変する可変機構と、スキューバダイビング用空気タンクを固定する固定手段と、ダイバーが背負う事が出来るバンド部材とを備えていることを特徴としたスキューバダイビング用浮力調整装置。
【請求項２】
ダイバー自身の操作によって実効容積が変更可能な手段を持つ少なくとも一対以上の浮力体と、その浮力体へ周囲圧に応じて自動的に空気ボンベから空気を供給する給気装置と、浮力体の内部圧力が上昇した時に余剰空気を排出する一方向弁の自動排気バルブと、各浮力体間の空気の流通を許容する連接部材と、浮力体の容積を可変するための手動式可変機構と、スキューバダイビング用空気タンクを固定する固定手段と、ダイバーが背負う事が出来るバンド部材とを備えていることを特徴としたスキューバダイビング用浮力調整装置。
【請求項３】
浮力体の内部圧力が周囲圧の変動にかかわらず、周囲圧から自動給気装置および自動排気バルブによって設定された圧力範囲を保持し、その圧力範囲が±１００ｋＰａ以下である事を特徴とした、請求項１又は２に記載のスキューバダイビング用浮力調整装置。
【請求項４】
浮力体が円筒状に形成され、片方の端面が気密に閉鎖され、その中央部近傍を貫通するようにネジ部材を配し、そのネジ部材とかん合するナット部材を有する移動可能な板状部材が該円筒内に形成され、その板状部材と浮力体の円筒内壁がシール部材によって気密が保持された容積可変の浮力体において、ネジ部材と移動可能な板状部材もシール部材によって気密が保持され、そのシール部材は筒状であり内径部がネジ部材外径形状と同形状に形成され、該シール部材を両端面および外周面から圧縮して保持する事でネジ部材との気密を確保する事を特徴とした請求項１から３のいずれかに記載のスキューバダイビング用浮力調整装置。
【請求項５】
浮力体が円筒形状に形成され、その円筒形状内部に位置可変に設けられ外周をシール部材にて気密に保持された板状部材と、その中央近傍を貫通したネジ部材および板状部材に設けられたナット部材において、ネジ部材およびナット部材を円筒形状の中心からずらして配し、ネジ部材の回転により板状部材が回転することなく移動するようにしたことを特徴とした請求項１から４のいずれかに記載のスキューバダイビング用浮力調整装置。
【請求項６】
浮力体の側壁がベローズ状に形成され、そのベローズ状浮力体の中央部をネジ部材が貫通しており、ベローズ状部材の片端面がベローズの延縮方向へ移動可能に配された板状部材と気密に接続され、ベローズの他の端面は浮力体天板へ気密を保持して固定され、移動可能に配された板状部材中央部には、ネジ部材とかん合するナット部材が配され、そのネジ部材と板状部材は気密シールで気密が保持されて成る事を特徴とした、請求項１又は２に記載のスキューバダイビング用浮力調整装置。
【請求項７】
浮力体の容積を可変する手段として、電気モーターあるいは圧縮空気モーターによりネジ部材を回転させ、スイッチ操作によりモーターを回転させ浮力を可変できるようにしたことを特徴とした、請求項１から６のいずれかに記載のスキューバダイビング用浮力調整装置。
【請求項８】
圧力センサーにより深度の変化を一定時間毎測定し、浮上中か潜行中かおよびその速度を演算し、モーターへ所定の回転角度を回転させる指令を出すことで浮力変動を自動調整する事を特徴とした請求項７に記載のスキューバダイビング用浮力調整装置。
【請求項９】
浮力体が円筒状に形成され、片方の端面が気密に閉鎖され、該気密に閉鎖された端面がダイバーの立ち姿勢に対し下方に配置されることを特徴とした請求項１から８のいずれかに記載のスキューバダイビング用浮力調整装置。
【発明の詳細な説明】
【技術分野】
【０００１】
本発明は、スキューバダイビングで使用する浮力調整装置に関する。
【背景技術】
【０００２】
現在市販されている物は、浮力体として気密性を持った袋状の浮力体をスキューバダイビング用空気タンクの保持用ハーネスと一体化して形成し、水中において浮力が不足する場合は袋状の浮力体内部へ空気タンクの空気を適当量入れ、その量で浮力を調整し、浮力が過大になったら別途設けた排気バルブを開放し排気して浮力を減らすという手法が用いられている。
【０００３】
しかしながら、袋状の浮力体においては、潜水深度が変わる事により内部の空気が圧縮または膨張するため、その容積が小さくあるいは大きくなり浮力が変動する。そのため使用者であるダイバーは、深度が変わる毎に浮力体内部の空気を出し入れし、浮力調整に注意を払う必要があった。
【０００４】
さらには、一旦浮上を始めると、浮力体内部の空気が膨張しさらに浮力を強めるために、熟練していないダイバーにおいては、その浮上を止める事が出来ずに潜水病の原因となる危険な浮上速度で浮上してしまい、人体に悪影響を及ぼす事例も少なくない。このため、潜水深度にかかわらず浮力が変動しない浮力調整装置の開発が求められている。
【０００５】
一方、浮力体として一定容量の容器を使用し、その内部へ海水を適当量出し入れして浮力を調整するというスキューバダイビング用の浮力調整装置も開発された（特許文献１参照）。しかしながら、この浮力調整装置では、浮力体内部に入れた海水が、ダイバーの姿勢によって移動し水中でのバランスが大きく変動し使いにくいなどの問題があり、現在は市販されていない。
【０００６】
また、潜水用スーツなどで、その内部圧力を一定に保つために、呼吸用レギュレーターの機構を流用し、排気バルブを別途設けて圧力を保とうとした発明が開示されている（特許文献２参照）。しかしながら、この方式では浮力を調整することが出来ないばかりか、姿勢によっては大きく浮力が変化してしまい、浮力調整としては使用できない。
【先行技術文献】
【特許文献】
【０００７】
【特許文献１】特開昭５３−２８９７号公報（第１頁）
【特許文献２】特開平８−１２７３９０号公報（第１頁）
【発明の概要】
【発明が解決しようとする課題】
【０００８】
水中における浮力を深度に係らず一定に保持し、それをダイバーがダイビング中に調整可能とし、軽量かつ小型で特別な潜水技術を必要としない、スキューバダイビング用浮力調整装置を提供する。
【課題を解決するための手段】
【０００９】
本発明は、上記課題を解決するために次の構成を備える。
本発明に係るスキューバダイビング用浮力調整装置の一形態によれば、浮力体として硬質材で形成された円筒を、その上端もしくは下端のどちらかにおいて気密に閉鎖し、中間において可動する略ピストン形状の中間壁を形成し、その中間壁の位置を移動させることによって円筒の実効容積を可変させることで浮力を可変できるようにしていることを特徴とする事ができる。
【００１０】
また、本発明に係るスキューバダイビング用浮力調整装置の一形態によれば、深度が増すと、浮力体としての円筒にかかる圧力が増加することに対抗するにために、呼吸用セカンドステージレギュレーター類似の給気装置を設け、潜水用空気タンクの空気を供給することを特徴とする事ができる。
【００１１】
また、本発明に係るスキューバダイビング用浮力調整装置の一形態によれば、深度が減少すると、浮力体としての円筒にかかる圧力が減少するため、中間壁あるいは円筒の気密に閉塞した端面およびその近傍に、一方向弁による排気バルブを設け、余剰空気を排出するようにしたことを特徴とする事ができる。
【００１２】
また、本発明に係るスキューバダイビング用浮力調整装置の一形態によれば、水中におけるダイバーの姿勢の安定のために、浮力体となる円筒を空気タンクの左右一対に設けることを特徴とする事ができる。
【００１３】
また、本発明に係るスキューバダイビング用浮力調整装置の一形態によれば、浮力の可変は、中間壁を移動させて行うが、装置全体を小型にするためには中間壁の中央に多条ネジなどのネジ部材を貫通させ、ナット部材を中間壁に設ける事により、このネジ部材の回転で中間壁を移動させることを特徴とすることができる。
【００１４】
また、本発明に係るスキューバダイビング用浮力調整装置の一形態によれば、中間壁のナット部材には気密性が要求されるが、その有効な解決手段として内径部がネジ部材の外部形状に合わせて成形された筒状の軟質材によるシール部材を、中間壁の中央部へ設けたシール部材の外形よりわずかに大きく形成されたシール部材受け部へ装填し、ネジ部材を貫通させた後シール部材を縦方向上下から適当な荷重をかけて圧縮する事で、ネジ部材と中間壁の隙間が無くなり気密性が保たれるようにしたことを特徴とすることができる。
【００１５】
また、本発明に係るスキューバダイビング用浮力調整装置の一形態によれば、浮力体としての２本の円筒部材において、中間壁の位置がほぼ同じであり、また中間壁を移動させたときもその位置が同じでないと、ダイバーにかかる浮力のバランスが取れず使いにくい。このため、一箇所の操作で２本の円筒における中間壁を同時に動かす必要がある。これを解決すべく、ギヤーもしくは歯付きベルトと歯付きプーリーなどの伝達部材および回転軸で２本の円筒中央を貫通するネジ部材を同時に回すようにしていることを特徴とする事ができる。
【００１６】
また、本発明に係るスキューバダイビング用浮力調整装置の一形態によれば、ネジ部材を中間壁の中央から少量オフセットして貫通させ、ネジ部材の回転による中間壁の回転を防止しながら軽量化および構造の簡素化を実現していることを特徴とする事ができる。
【発明の効果】
【００１７】
本発明に係るスキューバダイビング用浮力調整装置の一形態によれば、潜水深度が変わっても浮力変動が無く、浮力の調整が容易で、軽量であるという特別有利な効果を奏する。
【図面の簡単な説明】
【００１８】
【図１】本発明に係るスキューバダイビング用浮力調整装置の形態例を示す斜視図である。
【図２】図１の形態例の前方からの斜視図である。
【図３】図１の形態例の背面図である。
【図４】図１の形態例の図３におけるＡ−Ａ断面図である。
【図５】図１の形態例の給気装置における断面図である。
【図６】図１の形態例の給気装置における動作説明図である。
【図７】図１の形態例の中間壁における排気バルブの断面図である。
【図８】図１の形態例の図４におけるＢ−Ｂ断面図である。
【図９】図１の形態例の中間壁の上面図である。
【図１０】図１の形態例の浮力体において、実施例２における断面図である。
【図１１】図１の形態例の浮力体において、下端を気密に閉塞した形態例を示す、部分断面図を含む背面図である。
【発明を実施するための形態】
【００１９】
スキューバダイビング用空気タンクをダイバーの体に固定するための背板およびベルト部材で構成され、背板から突出したステーの一部に、浮力体としての円筒部材がタンクの両脇に一対固定されるように配され、空気タンクと共にダイバーが背負う事が出来るように構成されている。
【００２０】
浮力体として硬質材で形成された円筒を、その上端もしくは下端において気密に閉鎖し、中間において可動する略ピストン形状の中間壁を形成し、その中間壁の位置を移動させることによって円筒の実効容積を可変させることで浮力を可変できるように構成している。浮力体内の容積はその形成される部材が硬質素材であるため、深度が変わる事による容積の変化が無い。そのためダイバーの深度が変動しても、浮力が変わる事が無い。
【００２１】
また、深度が増すと、この浮力体にかかる圧力が増加する。これに対抗するには、浮力体およびその構成部材を十分な強度に形成しなければならないが、それでは重量が増してしまう。さらには、浮力を増加させるために中間壁を移動させると浮力体の実効容積が増え、内圧が負圧になる。これを防止するためには、呼吸用セカンドステージレギュレーター類似の給気装置を設け、潜水用空気タンクの空気を供給する。
【００２２】
また、深度が減少すると、浮力体にかかる圧力が減少する。場合によっては内圧の方が周囲圧より高くなることも想定できる。そのため、中間壁あるいは浮力体の気密に閉塞した端面およびその近傍に、一方向弁による排気バルブを設け、余剰空気を排出するようにする事が好ましい。なお、この排気バルブを円筒部材の上端を閉塞した場合は中間壁に、下端を閉塞した場合は下端面に設けると、立ち姿勢で空気室に浸入した水を排出し易い利点がある。
【００２３】
より具体的には、浮力体の内圧は周囲圧に対して−１ｋＰａ〜４ｋＰａの間に保たれるように、給気機構および排気バルブを設定する事で、浮力体には深度の変化にかかわらず過剰な圧力がかからないため、構成部材を肉薄かつ軽量に出来る。これらのために、浮力体および中間壁等の構成部材はプラスチック等で良く、また、中間壁と浮力体である円筒内壁のシールは軟質材のリップ形状シールとすることができ、中間壁の移動に必要な力が少なく出来るという利点がある。なお、浮力体の内部圧力の圧力範囲は、±１００ｋＰａ以下に保たれることで、上記の効果が期待できる。
【００２４】
水中におけるダイバーの姿勢の安定のためには、浮力体を空気タンクの左右一対に設けることが望ましい。また、これにより最大浮力としてダイバーが遭難し海面を漂流する際に必要な浮力体としての浮力を得る事が容易となる。また、上記浮力体において、円筒部材の下端面を気密に閉塞した浮力体を使用することで、ダイバーが腰に装着する潜水用重りと浮力体の位置が近くなり、よりダイバーの姿勢が安定する効果が得られるほか、円筒部内部に滞留する余剰空気を上方へ効果的に排出する事が出来る。
【００２５】
浮力の可変は、中間壁を移動させて行うが、装置全体を小型にするためには中間壁の中央に多条ネジなどのネジ部材を貫通させ、ナット部材を中間壁に設ける事により、このネジ部材の回転で中間壁を移動させることが可能となる。これによれば、外部からロッドでピストン等を動かす通常のシリンダー機構のように、ロッドが片側へ突出する事が無い。
【００２６】
この場合、中間壁のナット部材は気密性が要求されるが、その有効な解決手段として内径部がネジ部材の外部形状に合わせて成形された筒状の軟質材によるシール部材を、中間壁の中央部へ設けたシール部材の外形よりわずかに大きく形成されたシール部材受け部へ装填し、ネジ部材を貫通させた後シール部材を縦方向上下から適当な荷重をかけて圧縮する事で、ネジ部材と中間壁の隙間が無くなり気密性が保たれるようになる。ネジの回転による摩擦が大きすぎる場合は、シール部材を圧縮する力を緩和することで、摩擦力が減る。これにより従来難しいとされていた可動ネジ部の気密性の確保が実現し、装置全体の小型化が達成された。
【００２７】
また、２本の浮力体において、中間壁の位置がほぼ同じであり、また中間壁を移動させたときもその位置が同じでないと、ダイバーにかかる浮力のバランスが取れず使いにくい。このため、一箇所の操作で２本の浮力体における中間壁を同時に動かす必要がある。これを解決すべく、ギヤーおよび回転軸で２本の浮力体である円筒の中央を貫通するネジ部材を同時に回すようにしている。
【００２８】
また、中間壁が浮力体である円筒内で移動するためにネジ部材を回転させているが、このとき中間壁がネジ部材と同時に回ってしまっては、中間壁が移動しない。これを解決するためには、例えばもう一本の軸状部材を中間壁の中央から離れたところで貫通させ、この軸状部材を円筒の上下端部材において固定保持する事が考えられるが、これによると軸状部材と中間壁の気密も確保しなければならず、シール部材によるしゅう動抵抗が増加するばかりか、ネジ部材との平行度が悪いとシール性の悪化や動きの悪化につながり好ましくない。
【００２９】
これを解決するために、ネジ部材を中間壁の中央から少量オフセットして貫通させ、ネジ部材の回転による中間壁の回転を防止しながら軽量化および構造の簡素化を実現している。より具体的には、浮力体である円筒の内径φ１４０ｍｍに対して２〜３ｍｍ程度オフセットしてネジ部材を貫通させることで、好適な動作を実現している。
【００３０】
また、浮力体の気密部の構成の方法として、円筒部内側面と中間壁の気密シールを設け、そこで気密を実現する代わりに、円筒上端面もしくは下端面から中間壁までの側面をベローズ部材で形成しても良い。これによると、面精度や形状制度が要求される円筒内側面と中間壁間の気密シール部を構成することなく、同様の効果が得られる。ベローズ部材には、内圧および外圧とも一定の範囲を超えた圧力はかからないため、樹脂素材による成形品など比較的軽量で安価な部材を使用することが可能となる。また、この形態の場合には、円筒部側面は適選に穴を開けるなどして、ダイビング開始時など、初期的に円筒部内部に滞留する余剰空気を効果的に排出する事が出来る。
【００３１】
また、中間壁を移動する手段としてネジ部材を回転させるために、電気または圧縮空気により回転するモーターを使用することが出来る。これによれば、そのスイッチ機構を手元に配置する事により、より快適な操作が実現できるばかりか、手が不自由な身障者においてはより安全なダイビングを実現できるものである。また、足が不自由なダイバーが車椅子ごと潜水する場合には、この浮力調整装置を車椅子の一部に装着しても良い。
【００３２】
さらには、圧力センサー等によって得た一定時間毎のダイバーの水深変動情報から、最適な浮力調整量を演算してモーターへ相当量の回転指令を出すことで、ダイバーが着用している潜水服の深度による浮力変動をはじめ、空気タンクの消費による重量変化や海底からの採取物等による浮力変化も自動的に制御し、浮力を一定に保つ事が可能となる。
【００３３】
さらには、浮力体が円筒状に形成され、片方の端面が気密に閉鎖され、その中央部近傍を貫通するようにネジ部材を配し、そのネジ部材とかん合するナット部材を有する移動可能な板状部材が該円筒内に形成され、その板状部材と浮力体の円筒内壁がシール部材によって気密が保持された容積可変の浮力体において、気密に閉鎖された端面がダイバーの立ち姿勢に対し下方に配置されることで、ダイバーが腰に装着する潜水用重りと浮力体の位置が近くなり、よりダイバーの姿勢が安定する効果が得られるほか、円筒部内部に滞留する余剰空気を上方へ効果的に排出する事が出来る。
【実施例１】
【００３４】
以下、本発明に係るスキューバダイビング用浮力調整装置の実施例を、添付図面に基づいて詳細に説明する。
図１は実施例１の斜め後方からの投影図、図２は実施例１の斜め前方からの投影図である。スキューバダイビングで使用する１空気タンクは、図２の９背板に固定されている。この９背板には１１上部ステーおよび１２下部ステーを介して２浮力体が一対固定されている。それぞれの２浮力体は１０バイパスパイプで接続され、その内部圧力は等しく保たれる。
【００３５】
ダイバーは６肩部ベルトでタンクおよび装置全体を背負い、４腹部ベルトで固定する（図２にはこのベルト類は図示せず）。水中において８セカンドステージレギュレーターを咥えて呼吸をする。
【００３６】
この２浮力体にはその片方に５給気装置が固定されている。給気装置へは７ファーストステージレギュレーターを経由して圧力が落とされた１空気タンクの空気が供給されている。また、この空気は呼吸用の８セカンドステージレギュレーターへも供給されている。
【００３７】
また、それぞれの２浮力体の底面には図３で示すように２１軸受けにより２２軸が設けられているが、その２２軸には図４の２２ヘリカルギヤー(小)がそれぞれの浮力体に配置されている。この２２ヘリカルギヤー(小)は２浮力体中央部を貫通するように設けられている２６多条ネジ部材の端部に固定した２４ヘリカルギヤー(大)とかみ合う。また、２２軸には３ハンドルが設けられており、これを回転させる事で２６多条ネジ部材が回転する。
【００３８】
浮力はすなわち浮力体の容積からそれぞれの構成部材の水中重量を差し引いた物に等しいため、２浮力体における容積を可変する事で、装置全体の浮力を可変できる。また、容積が一定であれば、水深には依存せずに浮力が一定となる。
【００３９】
図４の２浮力体は、上端に２８天板を配し、その端面は２９Ｏ-リングにて２ａ浮力体円筒と気密が保たれている状態で固定されている。また２浮力体の下端には、２７底板を配している。この２７底板には２７ａ穴が一つ以上設けられている。さらに２ａ浮力体円筒内部には、３１中間壁が配され、その周辺部は３２リップシールにて２ａ浮力体円筒の内壁と気密を保たれている。
【００４０】
３１中間壁には３５排気バルブが設けられており、３７空気室の空気を外部へ排気できかつ、外部からは水の浸入がない一方向弁となっている。この弁の構造は図７の６３弁体に６４弁シートが保持されており、それを６５弁ベースへ６２ばね部材で押し付ける。このばね圧を６１調整ネジで可変する事により、３７空気室における最大内部圧力が調整できる。実施例では４ｋＰａ前後に設定している。
【００４１】
３１中間壁はその中央部付近に３０多条ネジナット部材が固定されている。またそれに連接して内径部を２５多条ネジ部材の外形形状に成形してなる軟質材で筒状の３４シール部材が設けられている。このシール部材はその外径を３１中間壁に抑制され、上端を３０多条ネジナット部材に、さらに下端を３３シール押さえネジで圧縮する事で、３１中間壁と２５多条ネジ部材の気密が保たれるようになる。３４シール部材と２５多条ネジ部材のしゅう動摩擦が大きすぎる場合は３３シール押さえネジを適選に調整する事で、動きと気密性の双方が確保できる。
【００４２】
２５多条ネジ部材は図９に示すように寸法ｃだけ２ａ浮力体円筒および３１中間壁の中心からオフセットされて設けられている。このことにより、３１中間壁は回転方向の抑止のための付加部材なしに２５多条ネジ部材の回転により２ａ浮力体円筒内を移動できる。より具体的には、浮力体である円筒の内径φ１４０ｍｍに対して２〜３ｍｍ程度オフセットしてネジ部材を貫通させることで、好適な動作を実現している。
【００４３】
図５および図６は５給気装置の断面図である。この給気装置の５０ケースは５１通気口で３７空気室と連通している。水深が増すなどして周囲圧が３７空気室より高くなると、４５感圧ダイヤフラムが４４レバーを押下げるが同時に４２ナットで位置関係が決められている４１バルブシートキャリアを移動させる。４５感圧ダイヤフラムが移動するためには４７トップカバーの一部に４７ａ穴が開いている必要があり、これにより外部の水の４５感圧ダイヤフラムへの移動を許容している。
【００４４】
４１バルブシートキャリアおよび４４レバーは４３ばね部材の押し圧に対抗して移動するため、このばね圧によって給気開始圧力が決定される。実施例では500Ｐａ〜１ｋＰａに設定されている。すなわち、３７空気室の圧力が周囲の圧力より500Ｐａ〜１ｋＰａだけ負圧になると、それ以上負圧にならないように４４レバーが押下げられて４６バルブシートと４８バルブコーンに隙間が出来、４９低圧空気ホースを介して空気が供給される。（図６）
【００４５】
ダイバーが浮力不足と感じた場合、３ハンドルを回して３１中間壁を下方へ移動させ、３７空気室の容積を増加させる事で浮力を増加させる。このとき空気室へは５給気装置から適当な量の空気が補充される。また、ダイバーが浮力過剰と感じた時は、３ハンドルを逆方向へ回すことにより３１中間壁を上方へ移動させ、３７空気室の容積を減少させることで浮力を減らす事が出来る。このとき３７空気室で余剰となった空気は３５排気バルブから排出され２７ａ穴を経由して外部放出される。実際のダイバーは水平姿勢であるため、２７ａ穴が図の下端であっても実用上は支障がない。
【実施例２】
【００４６】
図１０は実施例１と同形態であるが、浮力体の断面構造のみ異なる実施例である。これによると、７１中間壁と２８天板の間を７０ベローズにてつないでいる。これにより、７１中間壁の外周部には気密を確保するためのリップシールが不要となる。また、７２浮力体円筒には７２ａ穴が複数設けられており、３５排気バルブから排出された空気などがダイバーの姿勢にかかわらす滞留しない。
【００４７】
７０ベローズは樹脂素材など軽量で安価な素材で形成されている。これは潜水深度にかかわらず給気および排気によって空気室の圧力が一定範囲以上は変動しないために、過剰な耐圧特性などを必要としないことによるものである。
【実施例３】
【００４８】
図１１は、以上の説明した実施例１及び２と同等の構成要素を備えると共に、気密に閉鎖された端面がダイバーの立ち姿勢に対し下方に配置された形態例（実施例３）を示している。実施例１及び２の構成要素と同等の構成要素には、同一の符号を付して説明を省略する。なお、一箇所の操作で２本の円筒（２ａ浮力体円筒）における３１中間壁を同時に動かす伝達部材としては、歯付きベルト８１と歯付きプーリー８２が設けられている。
【００４９】
以上の構成により、潜水深度が変わっても浮力変動が無く、浮力の調整が容易で、軽量で特別な潜水技術を必要としないスキューバダイビング用浮力調整装置を実現できるものである。
【００５０】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００５１】
１  空気タンク
２  浮力体
２ａ  浮力体円筒
３  ハンドル
４  腹部ベルト
５  給気装置
６  肩部ベルト
７  ファーストステージレギュレーター
８  セカンドステージレギュレーター
９  背板
１０  バイパスパイプ
１１  上部ステー
１２  下部ステー
２１  軸受け
２２  軸
２３  ヘリカルギヤー（小）
２４  ヘリカルギヤー（大）
２５  スラストベアリング
２６  多条ネジ部材
２７  底板
２７ａ  穴（底板）
２８  天板
２９  Ｏ-リング
３０  多条ネジナット部材
３１  中間壁
３２  リップシール
３３  シール押さえネジ
３４  シール部材
３５  排気バルブ
３６  バイパスパイプジョイント
３７  空気室
４１  バルブシートキャリア
４２  ナット
４３  ばね部材
４４  レバー
４５  感圧ダイヤフラム
４６  バルブシート
４７  トップカバー
４７ａ  穴（トップカバー）
４８  バルブコーン
４９  低圧空気ホース
５０  ケース
５１  空気口
６０  カバー
６１  調整ネジ
６２  ばね部材
６３  弁体
６４  弁シート
６５  弁ベース
７０  ベローズ
７１  中間壁
７２  浮力体側壁
７２ａ  穴（浮力体側壁）
８１  歯付きベルト
８２  歯付きプーリー
【図１】
2012056556.tif 000003
【図２】
2012056556.tif 000004
【図３】
2012056556.tif 000005
【図４】
2012056556.tif 000006
【図５】
2012056556.tif 000007
【図６】
2012056556.tif 000008
【図７】
2012056556.tif 000009
【図８】
2012056556.tif 000010
【図９】
2012056556.tif 000011
【図１０】
2012056556.tif 000012
【図１１】
2012056556.tif 000013